(57)【特許請求の範囲】
【請求項１】
布状ラベルを、襟と身頃とのとの縫着線に沿って自由に折り返せるように該縫着線に縫着すると共に、該布状ラベルの裏面に該衣服に所定の機能を付加する目的で取り付ける機能付加部材を、着脱自在に固定するための面固定手段を設けたことを特徴とする機能追加型衣服。
【請求項２】
布状ラベルを、襟と身頃とのとの縫着線に沿って自由に折り返せるように該縫着線に縫着すると共に、該布状ラベルの裏面と、該布状ラベルによって被覆される衣服表面とに、該衣服に所定の機能を付加する目的で取り付ける機能付加部材を、着脱自在に固定するための面固定手段を設け、上記各側の面固定手段は、機能付加部材の非取付け時には、互いに結合して布状ラベル自体を衣服に固定可能としたことを特徴とする機能追加型衣服。
【請求項３】
布状ラベルが、テープ状物の両端を斜に折り返し舟形とし、該折り返し部分を衣服に縫着し、且つ、その裏面に面固定手段を設け、機能付加部材の取付け時には、布状ラベルを表裏反転させることで面固定手段が表に出るようにした請求項１または２記載の機能追加型衣服。
【発明の詳細な説明】
【０００１】
【発明の属する技術分野】
本発明は、シャツ等の衣服に冷却部材や、加温部材などの機能付加部材を取り付け可能な機能追加型衣服に関する。
【０００２】
【従来の技術】
従来、衣服に他の物品を取り付ける例としては、名札，エンブレム，腕章などを面ファスナやスナップ，ボタンなどで衣服に取り付ける場合が有る。これらは固定力に優れているが、物品を取り外した際には、上記固定部材が表面に現われたままになる。上記物品のように衣服の外表面に固定されるものの場合は外観以外には問題は生じないが、冷却部材や汗取り部材，カイロなどの加温部材のように直接身体と接するか身体に近い部位で使用する物品の場合、これらの部材を取り外した際に衣服表面（内表面）に現れる前記固定部材が身体と接することによって、違和感，不快感を生じるという問題がある。
【０００３】
【発明が解決しようとする課題】
本発明は従来技術の上記の点に鑑みて、種々の機能及び形状を有する機能付加部材を着脱自在且つ安定的に固定できると共に、上記部材を取り外した際にも着用感を損ねず、取り付け、非取り付け何れの状態においても使用感，外観に優れた機能追加型衣服を提供することを目的としてなされたものである。
【０００４】
【課題を解決するための手段】
上記目的を達成するために、本発明は、布状ラベルを、襟と身頃とのとの縫着線に沿って自由に折り返せるように該縫着線に縫着すると共に、該布状ラベルの裏面に該衣服に所定の機能を付加する目的で取り付ける機能付加部材を、着脱自在に固定するための面固定手段を設けた。また、布状ラベルを、襟と身頃とのとの縫着線に沿って自由に折り返せるように該縫着線に縫着すると共に、該布状ラベルの裏面と、該布状ラベルによって被覆される衣服表面とに、該衣服に所定の機能を付加する目的で取り付ける機能付加部材を、着脱自在に固定するための面固定手段を設け、上記各側の面固定手段は、機能付加部材の非取付け時には、互いに結合して布状ラベル自体を衣服に固定可能としている。更に、上記布状ラベルが、テープ状物の両端を斜に折り返し舟形とし、該折り返し部分を衣服に縫着し、且つ、その裏面に面固定手段を設け、機能付加部材の取付け時には、布状ラベルを表裏反転させることで面固定手段が表に出るようにしている。
【０００５】
【発明の実施の形態】
図１及び図２に本発明実施形態の衣服１を示す。図において、衣服１は、襟２の内側の該襟２（台襟）と後身頃３との縫合部分４に布状ラベル１１を縫着している。
【０００６】
布状ラベル１１は、テープ状の布の表面に刺繍等の手段でロゴマーク等適宜の標章を表現した、所謂、襟ネームを構成するものであるが、色や地柄のみを特徴とするもの、或いは無地のものでも良い。また、図示例の布状ラベル１１はテープ状の両端を斜に折り返して上方に向けた舟形の襟ネームであり折返し部分の各先端を先述した縫合部分４の縫合時に衣服１に縫着している。
【０００７】
このように布状ラベル１１の縫合部分４に沿った一縁側のみを縫着することによって、該布状ラベル１１は、図１（ｂ）に示す如く上方に折り返すことができ、該折返した布状ラベル１１の裏面には、後述する機能付加部材１２を固定する面固定手段として面ファスナ１３を縫着，接着等の手段で固定してある。
【０００８】
そして、布状ラベル１１は通常は、図１（ａ）に示す如く、垂下して面ファスナ１３を覆い襟ネームとして機能するが、機能付加部材１２の取り付け時には図１（ｂ）に示す如く上方に折り返されることで、面ファスナ１３が表に現れる。
【０００９】
機能付加部材１２は、衣服１に、冷却，加温，汗取り，その他の機能を付加すべく取り付けられる部材であり、衣服１と身体側との間に介在させるものであるため、図１（ｃ）に示す如く基本的に平坦な形状をなし、その裏面側には機能付加部材１２を衣服１に着脱自在に固定するための面固定手段として、前記面ファスナ１３に対応した面ファスナ１４を適宜手段で固定してある。
【００１０】
機能付加部材１２は、特に限定されるものではないが、以下のようなものが想定される。
先ず、冷却部材としては、（１）粉末状，粒状，繊維状等の形態の超吸水性高分子または、レーヨン等の親水性繊維，異形断面繊維等の含水繊維など、水をため込む性質を有する繊維を、不織布等の透水性布帛で包覆し、使用前に予め水を含ませ、その蒸発潜熱を利用し冷却するもの、（２）固体−液体間の相変換潜熱を利用し、使用前に冷蔵庫などで冷却されたもの、（３）袋内に非接触状態で封入された水剤，寒剤等の薬液を接触させ冷却反応を起こさせるもので、例えば、薬液棒を、使用前に折ることで化学反応を開始させ、瞬間急速冷却するもの、等がある。
尚、上記（２），（３）では、通常、冷却部材を直接取り付けずに、面ファスナ１４を付けた適宜の袋体に収容し、該袋体を衣服１の布状ラベル１１に固定する。
【００１１】
次に、加温部材としては、（１）化学カイロ、所謂使い捨てカイロ等のごとく金属粉の酸化熱を利用する手もみ式簡易暖房具、（２）電気をエネルギー源とする面発熱体、ヒーター等の暖房具、（３）電池や、燃料の燃焼熱を利用したカイロ、等がある。
【００１２】
次に、汗取り部材としては、（１）タオル，綿布等の天然吸汗素材、（２）レーヨン等の親水性，吸水性に優れた合成繊維、（３）繊維状超吸水性高分子吸収体等の合成物を活用した吸汗素材、等がある。
【００１３】
尚、布状ラベル１１は、従来の襟ネーム等と同様の織布からなる場合に限定されるものではなく、衣服としての通常の利用において着用感を損ねず、且つ、機能付加部材１２を支持し得る強度，寸法安定性を有する他の素材、例えば、編織物，不織布などの布帛は勿論、柔軟なテープ状のプラスチック材料、またはそれに繊維や布帛を接合して布のような質感を持たせたもの等を用いることができる。
【００１４】
また、上記実施形態では、衣服１側の面固定手段（面ファスナ１３）を、布状ラベル１１の裏面に設ける場合を示したが、垂下した布状ラベル１１で被覆される衣服１の表面に設けることもできる。更に、図３（ａ）に示す面ファスナ１３ａ，１３ｂのように、布状ラベルの裏面（１３ａ）と、該布状ラベル１１が垂下した状態で面ファスナ１３ａと重合する位置とに面ファスナ１３ｂを設けても良い。その場合、面ファスナ１３ａと面ファスナ１３ｂとが互いに接合可能なものを用いれば、機能付加部材１２を取り外した状態、即ち、衣服１としての通常の使用時に布状ラベル１１が衣服本体に固定されるので衣服１の着脱時に面ファスナが反転して接合面が身体に接触するというようなことも無い。また、この場合、布状ラベル１１が上側以外の位置、例えば下側縁において縫着され、使用時に下方に折り返すようなものとすることもできる。
【００１５】
更に、布状ラベル１１の形状（縫着部位）は舟形に限らず、図３（ｂ）に示す如き門形の布状ラベル１１ｂや、図３（ｃ）に示す如きプレート状をなし且つその一側縁において衣服１に縫着１５されている布状ラベル１１ｃとすることもできる。
【００１６】
図４及び図５は、本発明の更に別の実施形態の衣服２０１を示すものであり、布状ラベル２１に機能付加部材２２を取り付ける面固定手段として二対のスナップ２３ａ，２３ｂ及び２４ａ，２４ｂを用い、機能付加部材２２の非取付け時にはスナップ２３ａとスナップ２３ｂとを接合することで、布状ラベル２１を衣服２０１に固定可能とすると共に、該布状ラベル２１によって各スナップ２３ａ，２３ｂが被覆され、衣服表面に現れないようにしている。
【００１７】
また、４個のスナップ２３ａ，２３ｂ（２４ａ，２４ｂ）の充分な係止力を利用して、それらの取り付け範囲に比べて大きく下方に張出した機能付加部材２２を取り付け可能としている。これにより、襟部に設けた布状ラベル２１によって首から背中にかけての身体部位に作用する冷却部材，加温部材，汗取り部材等の機能付加部材２２が利用可能となる。
【００１８】
尚、面固定手段としては以上述べた面ファスナやスナップ以外に、ボタン（及びボタンホール）、粘着剤（両面粘着テープ等）、カギホック（機能付加部材側にフックを付ける）等を利用できる。また、上記実施形態では、衣服（上衣）の襟に機能付加部材を取り付ける場合を示したが、衣服の他の部位、更には上衣以外の衣服、例えばズボンやスカート，インナーウエア等に実施することも可能である。
【００１９】
【発明の効果】
本発明の機能追加型衣服は、以上述べたように構成されているので、冷却，加温，吸汗等、種々の機能，形状を有する機能付加部材を着脱自在且つ安定的に固定できると共に、取り外した際にも衣服の着用感を損ねず、取付け、非取付け何れの状態においても使用感は勿論のこと、外観にも優れている。
【図面の簡単な説明】
【図１】（ａ）は本発明実施形態の機能追加型衣服の機能付加部材を外した通常の衣服としての状態、（ｂ）は機能付加部材を取付ける状態を示す要部正面図、（ｃ）は機能付加部材を示す背面図である。
【図２】本発明実施形態の機能追加型衣服に機能付加部材を取り付けた状態を示す正面図である。
【図３】（ａ）〜（ｃ）は、夫々本発明の機能追加型衣服の他の実施形態を示す要部正面図である。
【図４】（ａ）は、本発明の更に別の実施形態の機能追加型衣服の機能付加部材を外した通常の衣服としての状態、（ｂ）は機能付加部材を取付ける状態を示す要部正面図、（ｃ）は機能付加部材を示す背面図である。
【図５】図４に示した実施形態の機能追加型衣服に機能付加部材を取り付けた状態を示す正面図である。
【符号の説明】
１，２０１  衣服
２  襟
１１，１１ａ，１１ｂ，１１ｃ，２１  布状ラベル
１２，２２  機能付加部材
１３，１３ａ，１３ｂ，１４  面ファスナ
２３ａ，２３ｂ，２４ａ，２４ｂ  スナップ
【図１】
0003581984.tif 000002
【図２】
0003581984.tif 000003
【図３】
0003581984.tif 000004
【図４】
0003581984.tif 000005
【図５】
0003581984.tif 000006